(57)【要約】【課題】時計を損傷することなく使いやすく形成するとともに装飾性を備えたリューズ締め込み具を提供すること。【解決手段】リューズ締め込み具２０は、平行して配置される一対の係合プレート２１・２２を備えている。それぞれの係合プレート２１・２２は、それぞれ接近・離隔する方向に弾性を有する弾性プレート２３・２４と、弾性プレート２３・２４の内壁面に貼着して、対向する側に係止溝２５ａ・２６ａを有するゴムプレート２５・２６とを備えている。それぞれの係合プレート２１・２２は、それぞれ両端に長孔２３ａ、２４ａを形成してネジ組２７で連結している。そして、ゴムプレート２５・２６の係止溝２５ａ・２６ａを腕時計１のリューズ５に係合させた後、係合プレート２１・２２をそれぞれ反対側に向かって移動させることによってリューズ５を締め込む。【選択図】図１４
2004093572.tif 000002
【特許請求の範囲】
【請求項１】
　防水時計のリューズを締め込むためのリューズ締め込み具であって、
　時計本体から突出した状態の前記リューズに係合可能な係合部を有して、前記リューズに着脱可能に構成され、
　前記係合部が、前記リューズを間にして平行に配置される一対のプレートを有するとともに、前記一対のプレートは相互にスライド可能に連結され、
　前記一対のプレートが、前記リューズを把持した後、それぞれ、反対方向に移動することによって前記リューズを回動可能に構成することを特徴とするリューズ締め込み具。
【請求項２】
　前記一対のプレートにおける前記リューズに対向する面には、前記リューズの外周面に形成された溝部に係合可能な掛止溝が形成されていることを特徴とする請求項１記載のリューズ締め込み具。
【請求項３】
　前記一対のプレートは、相互に接近する方向に付勢力が作用する弾性材を有して形成されていることを特徴とする請求項１又は２記載のリューズ締め込み具。
【請求項４】
　防水時計のリューズを締め込むためのリューズ締め込み具であって、
　時計本体から突出した状態の前記リューズに係合可能な係合部を有して、前記リューズに着脱可能に構成され、
　前記係合部が、前記リューズを間にして平行に配置される一対のプレート部を備えるとともに、前記一対のプレート部は両端部が連接されてエンドレス状に形成され、
　前記一対のプレート部が、前記リューズを把持した後、一方の方向に移動させることによって、前記リューズを回動可能に構成することを特徴とするリューズ締め込み具。
【請求項５】
　前記一対のプレート部には、前記リューズの外周面に形成された溝部に係合可能な掛止溝が形成されていることを特徴とする請求項４記載のリューズ締め込み具。                                                                               
【発明の詳細な説明】
【技術分野】
【０００１】
　この発明は、腕時計のリューズ締め込み具に関し、さらに詳しくは、特に防水時計を所有している所有者が、防水時計のリューズを締め込むことのできるリューズ締め込み具に関する。
【背景技術】
【０００２】
　腕時計には、自動巻きタイプや手動巻きタイプのもの、また、防水時計のものが知られている。これらの時計において、針を動かすためのリューズは、時計の針を動かすためにねじで連結されて時計の本体に配置されている。そして、針の調整や日付けの調整等を、製造工程内で行なった後、完成品として消費者に提供されている。
【０００３】
　リューズは使用者が使用中に、時間や日付けの調整又は、その他の機能の操作のために、使用者が操作できるように本体から突出して配置されている。そして、使用者はリューズの締め込みや、自動巻きにおけるリューズの巻き上げ、又は手動巻きにおけるリューズの締め込み等を行なっていた。
【０００４】
　一方、防水時計では、水が時計内に入らないようにパッキン等を封入して組み付けられ、時計を装着したままで、例えば、風呂に入ったり、あるいは、海に潜ったりできるように時計内を密封した構成で構成されている。しかし、リューズは使用者の操作で回転するように構成されていることから、防水時計であっても、リューズの締め込みが緩いと、リューズの回りから水が入る可能性を有している。そのために、リューズは堅固に締め込む必要があった。
【０００５】
　しかし、従来においては、リューズを手で締めることが多く、リューズを締め込むための専用の工具は、特に存在していなかった。但し、リューズの製造工程において、リューズの内部に配置されている心棒を回動させることは、例えば、特許文献１に記載されているやっとこで行われていた。これによると、図１８に示すように、やっとこ５０は、リューズの芯棒を回動可能な把持部と、把持部を開閉する操作柄部を有して構成されていた。
【特許文献１】実開昭５５−１７５８９５号公報
【発明の開示】
【発明が解決しようとする課題】
【０００６】
　しかし、リューズの締め込み不足で、防水時計に水が入って修理する状態になったとしても、その費用は使用者自体が負担しなければならなかったので、リューズの締め込みは充分に注意して行なわれなければならなかった。
【０００７】
　そのために、手の操作をやめて、一般工具を使用することがあった。しかし、一般の工具ではリューズ自体やその付近を傷つけやすく、時計の価値を低下させてしまう。また、時計によっては、リューズを保護するために、一方の方向にリューズガードとして壁部を形成したものがあり、この場合では、一般の工具がリューズを把持できないことから、一般の工具ですべての種類のリューズを締め込むには限界があった。さらに、図１８に示す従来のやっとこ５０では、リューズの内部の芯棒を回動させることには使用できるものの、組み付けられた時計において、リューズの本体からの突出量が小さいものやリューズガードが形成された腕時計では操作しにくかった。
【課題を解決するための手段】
【０００８】
　この発明は、上述の課題を解決するものであり、防水時計の防水効果を強化するために、リューズを充分に締め込むことができるとともに、リューズを損傷することなく、使いやすくて、しかも多種類の時計に対応して締め込むことができ、さらに装飾性を有してデザイン性のあるリューズ締め込み具を提供することを目的とするものであり、そのために、この発明にかかわるリューズ締め込み具では、上記の目的を達成するために、以下のように構成するものである。すなわち、
　請求項１記載の発明では、防水時計のリューズを締め込むためのものであって、
　時計本体から突出した状態の前記リューズに係合可能な係合部を有して、前記リューズに着脱可能に構成され、
　前記係合部が、前記リューズを間にして平行に配置される一対のプレートを有するとともに、前記一対のプレートは相互にスライド可能に連結され、
　前記一対のプレートが、前記リューズを把持した後、それぞれ、反対方向に移動することによって前記リューズを回動可能に構成することを特徴とするものである。
【０００９】
　請求項２記載の発明では、前記一対のプレートにおける前記リューズに対向する面には、前記リューズの外周面に形成された溝部に係合可能な掛止溝が形成されていることを特徴としている。
【００１０】
　請求項３記載の発明では、前記一対のプレートは、相互に接近する方向に付勢力が作用する弾性材を有して形成されていればなおよい。
【００１１】
　請求項４記載の発明では、防水時計のリューズを締め込むためのものであって、
　時計本体から突出した状態の前記リューズに係合可能な係合部を有して、前記リューズに着脱可能に構成され、
　前記係合部が、前記リューズを間にして平行に配置される一対のプレート部を備えるとともに、前記一対のプレート部は両端部が連接されてエンドレス状に形成され、
　前記一対のプレート部が、前記リューズを把持した後、一方の方向に移動させることによって、前記リューズを回動可能に構成することを特徴とするものである。
【００１２】
　請求項５記載の発明では、前記一対のプレート部には、前記リューズの外周面に形成された溝部に係合可能な掛止溝が形成されていればよい。
【発明の効果】
【００１３】
　請求項１記載の発明によれば、この発明にかかわるリューズ締め込み具におけるリューズの係合部が、リューズを間にして一対の平行に配置されるプレートを有して、相互にスライド可能に形成されていれば、リューズの対向する２面に係合させてスライドさせるだけでリューズを締め込むことができて、リューズガードが形成された腕時計には好適に使用でき、リューズの形状が異なる各種の時計に対応して使用することができる。しかも、一対のプレート状に形成された係合部を身体に付着することによって、工具の機能とは別にアクセサリーとして使用することもできる。
【００１４】
　請求項２記載の発明によれば、このリューズ締め込み具の係合部に、リューズに形成された溝部に係合可能な掛止溝を形成すれば、一対のプレートをスライドさせる際にリューズを充分に締め込むことができて、防水時計の場合に防水強化を図ることができる。
【００１５】
　請求項３記載の発明によれば、一対のプレートがお互いに接近する方向に付勢するような弾性部材で形成されていれば、リューズ締め込み具を、リューズに係合させたときに、常に、リューズを把持するように構成できるので、リューズの締め込み操作を容易に行なうことができる。
【００１６】
　請求項４記載の発明によれば、この発明にかかわるリューズ締め込み具が、リューズを係合する係合部を含んでエンドレス状に形成されていれば、リューズに係合した後で、係合部を一方方向に回転させるように移動させることによって、リューズの締め込み操作を容易に行なうことができる。また、リューズの相対向する２面を把持するように締め込むことができることから、リューズガードが形成された腕時計には好適に使用することができる。しかも、エンドレス状に形成されたリューズ締め込み具をブレスレッドとして腕に装着すれば、アクセサリーとして使用することができる。
【００１７】
　請求項５記載の発明によれば、このリューズ締め込み具の係合部に、リューズに形成された溝部に係合可能な掛止溝を形成すれば、リューズを充分に締め込むことができて、防水時計の場合に防水強化を図ることができる。
【発明を実施するための最良の形態】
【００１８】
【実施例１】
【００１９】
　以下、本発明の一実施形態を図面に基づいて説明する。以下に説明するリューズ締め込み具は、図１のように、腕時計１の本体３から突出したリューズ５に係合できる係合部を備えてリューズ５に装着する。そして、リューズ５を一方に回転させることによってリューズ５が本体３内にねじ込まれて締め込まれる。
【００２０】
　第１の実施形態のリューズ締め込み具１０は、図２に示すように、操作ハンドル本体（操作ハンドル部）１１と接続アタッチメント１５とリューズ係合部１８とを備えてソケットレンチ型を示している。
【００２１】
　操作ハンドル本体１１は、鉄材あるいはステンレス材で形成された芯棒１２と、芯棒１２の一端側で固着されて操作しやすい溝部を備えて形成された樹脂材のハンドル部１３とを有し、芯棒１２の先端部にアタッチメント１５を装着する取り付け部１２ａが形成されている。取り付け部１２ａは、角柱状に形成されて、一面あるいは２面に、球状のロック部材１２ｂが図示しないばねに押圧されて、取り付け部１２ａの表面より出入可能に配置されている。この操作ハンドル本体１１は、一般に使用されているソケットレンチの操作ハンドル本体を使用してもよい。
【００２２】
　アタッチメント１５は、一端に芯棒１２の取り付け部１２ａに外嵌するソケット部１６と、他端にリューズ係合部１８の一端を着脱可能に内嵌する凹部１７とを有して形成されている。凹部１７は、リューズ係合部１８の一端側の形状に嵌合できる形状で、リューズ係合部１８が着脱可能に配置できれば、その形状は特に限定するものではない。また、アタッチメント１５は、リューズ係合部１８の大きさによって、各種のサイズを備えている。従って、各種のアタッチメント１５のサイズは、ソケット部１６に関してはすべて同一サイズに形成され、凹部１７の大きさがリューズ係合部１８の大きさによって各種のサイズに形成されることとなる。
【００２３】
　リューズ係合部１８は、実施形態においては、アルミニウム材又は鉄材あるいはステンレス材等の比較的強度の高い薄肉状のパイプが使用されている。一端は、アタッチメント１５に着脱可能に嵌合できるように形成され、他端には、図３に示すように、熱可塑性樹脂材１９で形成されたリューズ雌型１９ａがパイプの先端に凹状に形成されている。リューズ雌型１９ａは、熱可塑性樹脂材１９をパイプの先端部に充填した後、高温状態にして、所定の腕時計１のリューズ５を軸心方向に沿って頭部側から挿入することによって形成されることとなる。高温状態で、リューズ５の雌型１９ａを形成した後、低温にして熱可塑性樹脂材１９を硬化させて雌型１９ａを使用可能とする。そして、各種の腕時計１のリューズ５に合わせて、予め各種のサイズで型をとって保存しておけば、各種の腕時計１に対応して締め込むことができる。
【００２４】
　なお、リューズ係合部１８とアタッチメント１５とを一体にして、各種のサイズを製作してもよく、また、操作ハンドル本体１１とアタッチメント１５を一体にして、リューズ係合部１８の一端をアタッチメント１５の凹部１７に係合できるように各種のサイズで形成するようにしてもよい。さらにアタッチメントを使用せずに、リューズ係合部１８を直接操作ハンドル本体１１に装着するように形成してもよい。
【００２５】
　上記の第１の形態によるリューズ締め込み具１０は、防水時計１を腕に装着して水に潜ったり、風呂に入ったりするときに堅固に締め込むためのリューズ５の締め込み操作や、自動巻きの腕時計で巻き上げる際に操作するときや、さらに時間の調整日付けの調整その他の機能で操作する際に使用される。リューズ締め込み具１０を使用する際には、リューズ係合部１８の雌型１９ａをリューズ５に対向するように配置させて、リューズ５の軸心に沿って頭部側から挿入する。リューズ係合部１８は、雌型１９ａがリューズ５のサイズに合わせてあることから、挿入して操作ハンドル本体１１を回転させることによって、時計本体３から突出したリューズ５を堅固に締め込むことができる。
【００２６】
　また、操作ハンドル本体１１が、一方向に回転可能なラチェット機構を構成して所定のトルクを制限することができるように構成していれば、所定のトルクで締め込むことができて、リューズ５を締め過ぎて損傷させることはない。
【００２７】
　なお、リューズ係合部１８に滑り止めテープを一部に巻いておけば、操作ハンドル本体１１に装着することなく、単独で締め込むことも可能である。
【００２８】
　なお、リューズ５に係合可能な係合部とアタッチメントを介して着脱可能に形成される操作ハンドル本体を有する第１の形態のリューズ締め込み具は、図２に示すものに限らず、図４〜９に示すように、長尺丸ピン状（又は長尺角ピン状）に形成されて係合部１８Ａに着脱可能なハンドル部１１Ａと、リューズ５に係合可能な凹部を有する係合部１８Ａとを有するリューズ締め込み具１０Ａであってもよい。
【００２９】
　ハンドル部１１Ａは図５〜６に示すように、長尺丸ピン状に形成されるとともに中央部には所定の幅寸法において、手で操作しやすいように滑り防止としてのローレット加工部１１１が施され、ローレット加工部１１１の中央一部に細長平面部１１２を形成している。さらに、ハンドル部１１の一端側においては、例えば、首紐を挿通する小孔１１３が直径方向に貫通するように形成されている。
【００３０】
　また、小孔１１３と反対側の端面には、図６に示すように、十字形の係合凹部１１４が形成され、係合凹部１１４が係合部１８Ａと係合可能に形成されている。なお、細長平面部１１２には、使用可能なメーカー名を記入しておけば、専用メーカーの腕時計を使用した時に、そのメーカー用の係合部１８Ａをハンドル部１１Ａに装着したリューズ締め込み具１０Ａを所持すればよい。
【００３１】
　係合部１８Ａは、時計のメーカーごとに形成されるアタッチメントとして使用され、図７〜９に示すように、リューズ５より柔らかい材料、例えば、樹脂やジュラコン等で形成され、ハンドル部１１Ａと略同一径の外径を有し、一端にはハンドル部１１Ａの係合凹部１１４に嵌合可能な十字型に形成した係合凸部１８１（図８参照）を有し、他端には、リューズ５に係合可能な嵌合凹部１８２（図９参照）が形成されている。嵌合凹部１８２は、リューズ５の外周面に形成された多数の突起溝と同一の形状の内溝を有してもよく、図９に示すように、リューズ５の多数の溝部に係合可能な６分割あるいは８分割された係合突起部１８３を内部に形成してもよい。
【００３２】
　そして、このリューズ締め込み具１０Ａは、係合部１８Ａの係合凸部１８１をハンドル部１１Ａの係合凹部１１４に係合させて一体化させ、係合部１８Ａの嵌合凹部１８２をリューズ５の外周に嵌合させてリューズ５を回動させて、針の調整や日付けの調整、その他の機能の調整を行うことができる。
【００３３】
　なお、リューズ締め込み具でリューズ５を締め込まない時には、図１０に示すように、ハンドル部１１Ａに形成された小孔１１３に首紐１９１を通して首に掛ければ、ペンダントとして使用することができる。特に、ハンドル部１１Ａ又は係合部１８Ａを、Ｋ１８金、プラチナ、Ｋ１８金ホワイトゴールド等の貴金属で形成すれば、なおのことアクセサリーとして価値の高いものとなる。さらに、嵌合凹部１８２は、ハンドル部１１Ａに装着されていない状態で、一端から息を吹き込むことによって笛吹きとして使用することができ、万が一、危険な状態にあった時に笛を吹いて危険を防止することも可能である。
【実施例２】
【００３４】
　第２の形態のリューズ締め込み具２０は、図１１に示すように、リューズ５を間にしてリューズ５を把持可能な一対の係合プレート２１・２２からなる。一対の係合プレート２１・２２は、薄肉状の鉄製又はステンレス製で形成された弾性プレート２３・２４に、中央部に相対向する側に向かって、リューズ５のたて溝５ａに係合する掛止溝２５ａ・２６ａが多数形成されたリューズ係合部としてのゴムプレート２５・２６が貼着され、両端に、長手方向に沿って長穴２３ａ・２４ａが形成され、長穴２３ａ・２４ａには、一対の弾性プレート２３・２４を連結するねじ組２７が装着されている。
【００３５】
　ねじ組２７は、一対の係合プレート２１・２２の両側でスライド可能に装着するために、長穴２３ａ・２４ａを貫通する小ねじ２７ａと小ねじ２７ａに止着可能なナット２７ｂとワッシャー２７ｃとを組み付けて構成される。そして、小ねじ２７ａの頭部とナット２７ｂとの間の寸法が、一対の弾性プレート２３・２４の厚みより大きくしておけば、一対の弾性プレート２３・２４は、相互に移動できることからスライド可能に組み付けられることとなる。
【００３６】
　従って、一対の係合プレート２１・２２は、お互いが長穴２３ａ・２４ａによってスライドできるように取り付けられる。弾性プレート２３・２４は、平面に対して屈折すると平面に復帰しようとする付勢力を有している。そのため、ねじ組２７の小ねじ２７ａの長さが、リューズ５の幅より小さければ一対の弾性プレート２３・２４は、図１２に示すように、リューズ５に係合する部位が、両側のねじ組２７で支持される部位に比べて膨らんで突出するように形成される。弾性プレート２３・２４が平面方向に付勢力を有することによって、弾性プレート２３・２４はリューズ５を把持する方向に押圧される。そして、ゴムプレート２５・２６の掛止溝２５ａ・２６ａでリューズ５のたて溝５ａを係合して装着される。
【００３７】
　従って、図１３に示すように、リューズ５の立て溝５ａに一対のゴムプレート２５・２６の掛止溝２５ａ・２６ａを係合させて、一対の係合プレート２１・２２を長穴２３ａ・２４ａに沿って相互にスライドさせれば、リューズ５は、締め込まれる方に向かってねじ込まれる。これを繰り返すことによって所定の力でリューズ５を締め込むことができる。この際、リューズ５をゴムプレート２５・２６で当てることにより、摩擦抵抗を大きくして滑りにくくしていることから、リューズ５を回転しやすくしている。
【００３８】
　この形態のリューズ締め込み具２０は、リューズ５の相対向する面に対して、並設して装着されることから、図１４に示すように、リューズガード６が形成された腕時計（防水時計）１Ａを締め込むのに好適である。リューズガード６の壁はリューズ５との隙間を極めて小さくしていることから、例えば、第１の実施形態のような全周に壁を有するリューズ締め込み具１０ではリューズガード６の壁とリューズ５との間には、挿入することができない。従って、一方の方向にリューズガード６の壁が配置されていても、それに直交する方向が解放されていれば、係合プレート２１・２２を解放された位置に配置させることができて、リューズを締め込むことができる。
【００３９】
　なお。この形態のリューズ締め込み具２０は、弾性プレート２３・２４におけるゴムプレート２５・２６と反対の面に滑り止め加工を施せば、手で係合プレート２１・２２をスライドさせる際に、効率よく摺動させることができる。また、弾性プレート２３・２４とゴムプレート２５・２６とは、リューズ５に対向する面に掛止溝２５ａ・２６ａが形成されていれば弾性プレートで一体的に形成したり、あるいはゴムプレートで一体的に形成してもよい。
【００４０】
　さらに、この形態のリューズ締め込み具２０を、身体に装着してアクセサリーとして使用することができることから、女性が所有するのに好適である。
【実施例３】
【００４１】
　第３の形態のリューズ締め込み具３０は、図１５〜１６に示すように、対向する２面が直線状に形成されてエンドレス状のリング部材として形成されたバンド部材３１に、直線方向の相対向する面に沿って、リューズ係合部としての一対のゴムプレート３２・３３が装着されている。ゴムプレート３２・３３には、リューズ５に形成されたたて溝５ａに係合する多数の掛止溝３２ａ・３３ａが形成されている。バンド部材３１は、従来の時計のバンドで知られるように、多数の単一の矩形板が弾性状に繋ぎ合わされて長手方向に向かって伸縮可能に形成されていることが好ましい。そしてバンド部材３１において、ゴムプレート３２・３３が装着される反対側の表面側には、滑り止め加工された薄板３４・３５がそれぞれ装着されている。
【００４２】
　このリューズ締め込み具３０を、第２の形態のリューズ締め込み具２０と同様に、腕時計１のリューズ５の対向する両面に装着して、リューズ５のたて溝５ａに掛止溝３２ａ・３３ａを対向する位置に配置させる。そして、図１７に示すように、滑り止め加工された薄板３４・３５に指を当てると、掛止溝３２ａ・３３ａとたて溝５ａとが係合されて、一方の方向に回すことによってリューズ５が締め込まれる。
【００４３】
　この形態のリューズ締め込み具３０では、第２の形態のリューズ締め込み具２０と同様に、リューズガード６が形成されている腕時計に好適に使用できる。さらに、リング状に形成されていることから、デザイン性を向上して腕に装着すれば、ブレスレッドとして使用でき、女性が所有するのに好適である。
【００４４】
　なお、エンドレスでリング状のバンド部材の代わりに、直線部分の裏面側にリューズ係合部としての掛止溝３２ａ・３３ａ、表面側に滑り止め加工を施した鉄板・あるいはゴム板あるいはその他の材料で形成された板を配置して、両側の半円リング部をバンド部材３１で連結するようにしてもよい。
【００４５】
　上述のように、リューズ締め込み具は、時計本体３から突出されたリューズ５に装着して係合させることにより、手の操作では締め込み不十分のリューズ５を確実に締め込むことができる。これによって、防水時計１の場合では、所定の位置までリューズ５を締め込むことができることから、防水効果を強化することができる。
【００４６】
　また、リューズ締め込み具１０のリューズ係合部１８が、操作ハンドル本体１１に着脱可能に形成されていれば、リューズ係合部１８をリューズ５の軸心に沿って係合させることができて、極めて容易に締め込み作業を行なうことができる。
【００４７】
　そして、このリューズ締め込み具１０のリューズ係合部１８に熱可塑性樹脂１９を充填させることによって、熱可塑性樹脂１９を高温にした状態で、熱可塑性樹脂１９をリューズ５に押圧させれば、熱可塑性樹脂１９には、リューズ雌型１９ａを型どることができ、各種の時計にそれぞれ合わせたリューズ締め込み具１０を提供することができる。
【００４８】
　さらに、ハンドル部１１Ａが長尺丸ピン状に形成され、一端部に小孔１１３が形成されていれば、例えば、小孔１１３に首紐を挿通させることによって、係合部１８Ａをハンドル部１１Ａに係合させたリューズ締め込み具１０Ａをアクセサリーとして身体に装着することができる。
【００４９】
　また、リューズ締め込み具の係合部２０が、リューズ５を間にして一対の平行に配置される係合プレート２１・２２を有して、相互にスライド可能に形成されていれば、リューズ５の対向する２面に係合させてスライドさせるだけでリューズ５を締め込むことができることから、リューズ５の形状が異なる各種の時計に対応して使用することができる。しかも、一対のプレート状に形成された係合プレート２１・２２を身体に付着することによって、工具の機能を廃してアクセサリーとして使用することもできる。
【００５０】
　このリューズ締め込み具のゴムプレート２５・２６にリューズ５に形成されたたて溝５ａに係合可能な掛止溝２５ａ・２６ａを形成すれば、一対の係合プレート２１・２２をスライドさせる際にリューズ５を充分に締め込むことができて、防水時計１の場合に防水強化を図ることができる。
【００５１】
　また、一対の弾性プレート２３・２４がお互いに接近する方向に付勢するような弾性部材で形成されていれば、リューズ締め込み具２０を、リューズ５に係合させたときに、常に、リューズ５を把持するように構成できるので、リューズ５の締め込み操作を容易に行なうことができる。
【００５２】
　また、リューズ締め込み具３０が、リューズ５を係合するゴムプレート３２・３３を含んでエンドレス状に形成されていれば、リューズ５に係合した後で、バンド部材３１を一方方向に回転させるように移動させることによって、リューズ５の締め込み操作を容易に行なうことができる。しかも、エンドレス状に形成されたリューズ締め込み具３０をブレスレッドとして腕に装着すれば、アクセサリーとして使用することができる。
【００５３】
　このリューズ締め込み具３０のゴムプレート３２・３３にリューズ５に形成されたたて溝５ａに係合可能な掛止溝３２ａ・３３ａを形成すれば、リューズ５を充分に締め込むことができて、防水時計１の場合に防水強化を図ることができる。
【図面の簡単な説明】
【００５４】
【図１】腕時計リューズにリューズ締め込み具を装着する状態を示す正面図である。
【図２】第１の形態を示すリューズ締め込み具の分解組付図である。
【図３】図２におけるリューズ係合部を示す断面図である。
【図４】第１の形態における別のリューズ締め込み具を示す斜視図である。
【図５】図４におけるリューズ締め込み具のハンドル部を示す平面図である。
【図６】図５におけるＸ矢視図である。
【図７】図４における係合部を示す正面図である。
【図８】図７におけるＹ矢視図である。
【図９】図７におけるＺ矢視図である。
【図１０】図４のリューズ締め込み具をアクセサリーとして使用した状態を示す正面図である。
【図１１】第２の形態のリューズ締め込み具を示す斜視図である。
【図１２】図１１におけるリューズ締め込み具の組付図である。
【図１３】図１２のリューズ締め込み具をスライドさせた状態を示す作用図である。
【図１４】第２の形態のリューズ締め込み具でリューズガードが形成された腕時計のリューズを締め込む作用を示す斜視図である。
【図１５】第３の形態のリューズ締め込み具を示す斜視図である。
【図１６】図１５における第３の形態のリューズ締め込み具を示す正面図である。
【図１７】図１６における第３の形態のリューズ締め込み具の作用を示す正面図である。
【図１８】従来のリューズ締め込み具（やっとこ）を示す外略図
【符号の説明】
【００５５】
　１…腕時計
　３…本体
　５…リューズ
　５ａ…たて溝
　１０…第１の形態のリューズ締め込み具
　１０Ａ…リューズ締め込み具
　１１…操作ハンドル本体
　１１Ａ…ハンドル部
　１５…アタッチメント
　１８…リューズ係合部
　１８Ａ…係合部
　１９…熱可塑性樹脂
　１９ａ…リューズ雌型
　２０…第２の形態のリューズ締め込み具
　２１・２２…係合プレート
　２３・２４…弾性プレート
　２３ａ・２４ａ…長穴
　２５・２６…ゴムプレート
　２５ａ・２６ａ…掛止溝
　３０…第３の形態のリューズ締め込み具
　３１…バンド部材
　３２・３３…ゴムプレート
　３２ａ・３３ａ…掛止溝                                                                               
【図１】
2004093572.tif 000003
【図２】
2004093572.tif 000004
【図３】
2004093572.tif 000005
【図４】
2004093572.tif 000006
【図５】
2004093572.tif 000007
【図６】
2004093572.tif 000008
【図７】
2004093572.tif 000009
【図８】
2004093572.tif 000010
【図９】
2004093572.tif 000011
【図１０】
2004093572.tif 000012
【図１１】
2004093572.tif 000013
【図１２】
2004093572.tif 000014
【図１３】
2004093572.tif 000015
【図１４】
2004093572.tif 000016
【図１５】
2004093572.tif 000017
【図１６】
2004093572.tif 000018
【図１７】
2004093572.tif 000019
【図１８】
2004093572.tif 000020